(57)【要約】【課題】アナログ時計表示のデザイン性を保ちつつ、ユーザが容易に針画像によって表現される時刻情報とは異なる情報を読取り可能な表示制御を行うこと。【解決手段】携帯端末１は、出力部２０を有する電子機器である。表示制御部５１は、針画像を取得する。また、表示制御部５１は、所定の情報である提示情報を取得する。また、表示制御部５１は、針画像を現在時刻に応じた位置に表示させると共に、当該針画像の表示位置の近傍前後において、所定の情報である提示情報を表示させるように出力部２０を制御する。重畳判定部５３は、針画像と所定の情報である提示情報と針画像とが重畳して表示されているか否かを判定する。表示制御部５１は、針画像と所定の情報である提示情報とが重畳して表示されていると判定された場合に、当該針画像と当該所定の情報である提示情報の表示領域が重複しないように表示態様を変更する。【選択図】図３
2018109546.tif 000002
【特許請求の範囲】
【請求項１】
表示部を有する時計において、
針画像を取得する針画像取得手段と、
所定の情報を取得する情報取得手段と、
前記針画像取得手段によって取得された前記針画像を、現在時刻に応じた位置に表示させると共に、当該針画像の表示位置の近傍において、前記情報取得手段によって取得された前記所定の情報を表示させるように前記表示部を制御する表示制御手段と、
前記表示制御手段によって前記所定の情報の表示領域と前記針画像とが重畳して表示される場合に、当該針画像又は当該所定の情報の表示領域が重畳しないよう表示態様を変更する表示変更手段と、
を備えることを特徴とする時計。
【請求項２】
前記表示変更手段は、前記表示態様として、前記針画像若しくは前記所定の情報の表示位置、表示サイズ、形状又は透過度を変更する、
ことを特徴とする請求項１に記載の時計。
【請求項３】
前記表示制御手段によって前記所定の情報の表示領域と、前記針画像とが重畳して表示されるか否かを判定する判定手段を更に備え、
前記表示変更手段は、前記判定手段によって前記所定の情報の表示領域と前記針画像とが重畳して表示されると判定された場合に、当該針画像又は当該所定の情報の表示領域が重畳しないよう表示態様を変更する、
ことを特徴とする請求項１又は２に記載の時計。
【請求項４】
前記表示変更手段は、前記判定手段によって前記所定の情報の表示領域と前記針画像とが重畳して表示されていると判定された場合に、当該針画像と当該所定の情報とが重畳して表示されないように表示態様を変更する、
ことを特徴とする請求項３に記載の時計。
【請求項５】
前記表示変更手段は、前記表示態様として、前記所定の情報の表示領域に重畳しないように前記針画像の表示位置又は表示サイズを変更する、
ことを特徴とする請求項１乃至４のいずれか１項に記載の時計。
【請求項６】
前記表示変更手段は、前記針画像を所定の待避位置に移動させるように表示位置を変更する、
ことを特徴とする請求項１乃至５のいずれか１項に記載の時計。
【請求項７】
前記表示変更手段は、前記針画像を所定の待避位置に移動させるように表示位置を変更させた場合、前記所定の情報の表示領域に前記針画像を用いずに時刻情報を表示させる、
ことを特徴とする請求項６に記載の時計。
【請求項８】
前記表示変更手段は、前記所定の情報の表示領域として当該所定の情報の表示位置及び表示サイズを算出する算出手段を備え、
前記表示変更手段は、前記針画像を所定の待避位置に移動させるように表示位置を変更させた場合、前記算出手段により算出される前記表示領域に基づいて前記針画像を移動させるように表示位置を変更する、
ことを特徴とする請求項１乃至７のいずれか１項に記載の時計。
【請求項９】
前記表示変更手段は、前記表示態様として、前記針画像に重畳しないように前記所定の情報の表示位置又は表示サイズを変更する、
ことを特徴とする請求項１乃至８のいずれか１項に記載の時計。
【請求項１０】
前記表示変更手段によって前記針画像を所定の待避位置に移動させるように表示位置を変更させた場合、当該針画像又は当該所定の情報の表示態様を変更する、
ことを特徴とする請求項１乃至９のいずれか１項に記載の時計。
【請求項１１】
前記表示変更手段は、前記表示部に表示される前記針画像の表示位置及び表示サイズに応じて、前記所定の情報の表示態様を変更する、
ことを特徴とする請求項１乃至１０のいずれか１項に記載の時計。
【請求項１２】
前記表示変更手段は、前記針画像又は前記所定の情報の表示態様を変更する際に、現在の表示状態から最終の表示状態に連続的に変化するように変更する、
ことを特徴とする請求項１乃至１１のいずれか１項に記載の時計。
【請求項１３】
表示変更の指示を検出する検出手段を備え、
前記表示変更手段は、前記検出手段によって前記表示変更の指示が検出された場合に、前記表示部の表示変更を行う、
ことを特徴とする請求項１乃至１２のいずれか１項に記載の時計。
【請求項１４】
前記表示制御手段は、表示態様の変更前から変更後に至る動きをアニメーションによって表示するように前記表示部を制御する、
ことを特徴とする請求項１乃至１３のいずれか１項に記載の時計。
【請求項１５】
前記表示制御手段は、針画像の表示態様のうち、表示位置を変更する場合には、針画像の時刻表示における動きに対応した動きで、表示態様の変更前から変更後に至る動きをアニメーションによって表示するように前記表示部を制御する、
ことを特徴とする請求項１４に記載の時計。
【請求項１６】
表示部を有する時計で実行される時計表示制御方法において、
針画像を取得する針画像取得ステップと、
所定の情報を取得する情報取得ステップと、
前記針画像取得ステップによって取得された前記針画像を、現在時刻に応じた位置に表示させると共に、当該針画像の表示位置の近傍において、前記情報取得ステップによって取得された前記所定の情報を表示させるように前記表示部を制御する表示制御ステップと、
前記表示制御ステップによって前記所定の情報の表示領域と前記針画像とが重畳して表示される場合に、当該針画像又は当該所定の情報の表示領域が重畳しないよう表示態様を変更する表示変更ステップと、
を含むことを特徴とする表示制御方法。
【請求項１７】
表示部を有する時計を制御するコンピュータを、
針画像を取得する針画像取得手段、
所定の情報を取得する情報取得手段、
前記針画像取得手段によって取得された前記針画像を、現在時刻に応じた位置に表示させると共に、当該針画像の表示位置の近傍において、前記情報取得手段によって取得された前記所定の情報を表示させるように前記表示部を制御する表示制御手段、
前記表示制御手段によって前記所定の情報の表示領域と前記針画像とが重畳して表示される場合に、当該針画像又は当該所定の情報の表示領域が重畳しないよう表示態様を変更する表示変更手段、
として機能させることを特徴とするプログラム。
【発明の詳細な説明】
【技術分野】
【０００１】
本発明は、時計、時計表示制御方法及びプログラムに関する。
【背景技術】
【０００２】
従来より、針画像により時刻を表現する時計画像表示させることにより、アナログ時計を模してユーザに時刻を認識させる表示装置が知られている。このような表示装置では、例えば、特許文献１に記載のように、クロノグラフ式の時計のように針画像の動きによって表現される時刻とは異なる情報を文字盤上に表示させ、ユーザの読取り可能な情報量を増加させるようなアナログ時計表示を行う。
【先行技術文献】
【特許文献】
【０００３】
【特許文献１】特開２０１２−１８９５３１号公報
【発明の概要】
【発明が解決しようとする課題】
【０００４】
しかしながら、上述したような特許文献１に記載の技術では、例えば、表示される針画像がクロノグラフ部分に重畳し、ユーザが針画像によって表現される時刻以外の情報を読み取ることが困難になるという問題がある。
【０００５】
本発明は、このような状況に鑑みてなされたものであり、アナログ時計表示のデザイン性を保ちつつ、ユーザが容易に針画像によって表現される時刻情報とは異なる情報を読取り可能な表示制御を行うことを目的とする。
【課題を解決するための手段】
【０００６】
上記目的を達成するため、本発明の一態様の時計は、
表示部を有する時計において、
針画像を取得する針画像取得手段と、
所定の情報を取得する情報取得手段と、
前記針画像取得手段によって取得された前記針画像を、現在時刻に応じた位置に表示させると共に、当該針画像の表示位置の近傍において、前記情報取得手段によって取得された前記所定の情報を表示させるように前記表示部を制御する表示制御手段と、
前記表示制御手段によって前記所定の情報の表示領域と前記針画像とが重畳して表示される場合に、当該針画像又は当該所定の情報の表示領域が重畳しないよう表示態様を変更する表示変更手段と、
を備えることを特徴とする。
【発明の効果】
【０００７】
本発明によれば、アナログ時計表示のデザイン性を保ちつつ、ユーザが容易に針画像によって表現される時刻情報とは異なる情報を読取り可能な表示制御を行うことができる。
【図面の簡単な説明】
【０００８】
【図１】本発明の電子機器のうち時計の一実施形態に係る携帯端末１のハードウェアの構成を示すブロック図である。
【図２】本実施形態におけるアナログ時計表示を説明するための模式図である。
【図３】図１の携帯端末１の機能的構成のうち、情報表示処理を実行するための機能的構成を示す機能ブロック図である。
【図４】図３の機能的構成を有する図１の携帯端末１が実行する情報表示処理の流れを説明するフローチャートである。
【図５】本実施形態におけるアナログ時計表示の他の例を説明するための模式図である。
【図６】本実施形態における提示情報と対応する機能の全画面表示の例を示す模式図である。
【図７】本実施形態における提示情報と対応する機能の全画面表示の例を示す模式図である。
【図８】図３の機能的構成を有する図１の携帯端末１が実行する情報表示処理の他の流れを説明するフローチャートである。
【発明を実施するための形態】
【０００９】
以下、本発明の実施形態について、図面を用いて説明する。
【００１０】
図１は、本発明の電子機器のうち時計の一実施形態に係る携帯端末１のハードウェアの構成を示すブロック図である。
携帯端末１は、例えば、スマートウォッチとして構成される。
【００１１】
携帯端末１は、図１に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、ＧＰＳ部１６と、センサ部１７と、撮像部１８と、入力部１９と、出力部２０と、記憶部２１と、通信部２２と、ドライブ２３と、を備えている。
【００１２】
ＣＰＵ１１は、ＲＯＭ１２に記録されているプログラム、又は、記憶部２１からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、ＧＰＳ部１６、センサ部１７、撮像部１８、入力部１９、出力部２０、記憶部２１、通信部２２及びドライブ２３が接続されている。
【００１５】
ＧＰＳ部１６は、図示しないＧＰＳ受信アンテナを介して、複数のＧＰＳ衛星からのＧＰＳ信号を受信する。ＣＰＵ１１は、ＧＰＳ部１６が受信したＧＰＳ信号に基づいて、機器の現在位置を示す緯度及び経度、高度の情報等の位置情報を取得する。
【００１６】
センサ部１７は、ジャイロ、加速度、地磁気、ＧＰＳの各種のセンシングを行って、姿勢情報や位置情報を出力する。
【００１７】
撮像部１８は、図示はしないが、光学レンズ部と、イメージセンサと、を備えている。
【００１８】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１９】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、デジタル信号が生成され、撮像部１８の出力信号として出力される。
このような撮像部１８の出力信号を撮像画像のデータとして、ＣＰＵ１１や図示しない画像処理部等に適宜供給される。
【００２０】
入力部１９は、各種釦等で構成され、ユーザの指示操作に応じて各種情報を入力する。
出力部２０は、ディスプレイやスピーカ等で構成され、画像や音声を出力する。
本実施形態においては、画像やアイコン等を表示するディスプレイとなる出力部２０にタッチやスワイプ等の入力操作可能な入力部１９が重畳的に配置されて、インターフェースとなるタッチパネルを構成する。
【００２１】
記憶部２１は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
【００２２】
通信部２２は、インターネットを含むネットワークを介して他の装置（図示せず）との間で行う通信を制御する。
【００２３】
ドライブ２３には、磁気ディスク、光ディスク、光磁気ディスク、或いは半導体メモリ等よりなる、リムーバブルメディア３１が適宜装着される。ドライブ２３によってリムーバブルメディア３１から読み出されたプログラムは、必要に応じて記憶部２１にインストールされる。また、リムーバブルメディア３１は、記憶部２１に記憶されている画像のデータ等の各種データも、記憶部２１と同様に記憶することができる。
【００２４】
このように構成される携帯端末１では、時計表示おいて、アナログ時計表示を行う機能を有する。アナログ時計表示では、針と重畳しない位置に、選択された機能に対応した情報（以下、「提示情報」という。）が表示される。即ち、携帯端末１では、時刻と共に移動する針を避けて、提示情報が表示される。
【００２５】
図２は、本実施形態におけるアナログ時計表示を説明するための模式図である。
本実施形態のアナログ時計表示は、図２（ａ）に示すように、表示画面の中央を回転中心として、時刻を表示する針画像ＨＨ，ＭＨ，ＳＨが配置されて時計のアナログ時計表示がされる。また、本実施形態においては、例えば、初期設定状態では、アナログ時計表示の背面に、選択された機能に即した提示情報が予め設定された領域（以下、「基準表示領域」という。）Ｒ０に表示される。
本実施形態の携帯端末１では、針と提示情報とが重畳した場合に、提示情報を重畳しない他の領域に表示させる機能を有するが、本機能を発揮させた場合には、図２（ｂ）の例に示すように、時を示す短針の針画像ＨＨ、分を示す長針の針画像ＭＨ、秒を示す秒針の針画像ＳＨの間の領域Ｒ１のうち、最も大きい領域（以下、「変更表示領域」という。）Ｒ２に表示する。
【００２６】
なお、本例では、時を示す短針（時針）の針画像ＨＨ、分を示す長針（分針）の針画像ＭＨ、秒を示す秒針の針画像ＳＨの間の領域Ｒ１のうちで表示するように構成したが、時を示す短針の針画像ＨＨと、分を示す長針の針画像ＭＨの間の領域だけで判断してもよい。また、短針と画面の周縁部の間の領域も表示領域として扱って、変更表示領域を構成するようにしてもよい。その場合、領域のサイズにあうように提示情報の表示態様を変更して表示させるよう制御する。
また、例えば、装飾的な特殊な形状のものであったり太かったり等の針画像の形状に応じて、針画像間の領域を設定するよう制御する。
【００２７】
また、図２（ｃ）の例に示すように、各針画像が重なる時刻である場合には、重なっている位置と対称的な位置を、変更表示領域Ｒ２とするように構成してもよい。
さらに、図２（ｄ）の例に示すように、複数の領域を、変更表示領域Ｒ２とするように構成してもよい。複数の領域を変更表示領域Ｒ２とする場合には、種類の異なる情報（提示情報やその他の情報を含む。）を表示するように構成してもよい。
【００２８】
図３は、図１の携帯端末１の機能的構成のうち、情報表示処理を実行するための機能的構成を示す機能ブロック図である。
情報表示処理とは、時計のアナログ時計表示において、表示時点における時刻の針画像の位置と提示情報の位置とが重畳してしまうと判定された場合に針画像又は提示情報の表示態様を変更して表示する一連の処理をいう。
【００２９】
情報表示処理を実行する場合には、図３に示すように、ＣＰＵ１１において、表示制御部５１と、指示検出部５２と、重畳判定部５３と、表示態様決定部５４と、が機能する。
【００３０】
また、記憶部２１の一領域には、時刻表示用画像記憶部７１と、提供情報記憶部７２と、が設定される。
時刻表示用画像記憶部７１には、例えば、短針、長針、秒針等のアナログ時計表示に必要な針画像、時刻のインデックス画像等の時刻表示用画像のデータが記憶される。
提供情報記憶部７２は、種々の機能に対応する提供情報が記憶される。
提供情報は、例えば、時刻のデジタル情報、ＧＰＳ部１６やセンサ部１７からのセンサ情報、受信したメッセージ情報、設定したスケジュール情報等々の種々の機能に対応する情報である。
【００３１】
表示制御部５１は、時刻に対応して針画像を表示し、針画像の背面側に、時計表示面の所定位置に提供情報を表示するように出力部２０を制御する。
また、表示制御部５１は、例えば、針画像と提供情報とが重畳して表示されることになると判定された場合には、針画像を避けた位置に提供情報を表示するように出力部２０を制御する。本実施形態においては、表示制御部５１は、針画像のない領域のうち、最も大きい領域である変更表示領域に提供情報を表示するように出力部２０を制御する。
【００３２】
指示検出部５２は、指示を検出する。指示検出部５２は、例えば、提供情報と針画像が重畳した場合に重畳を回避して提供情報を表示する指示（以下、「重畳回避表示指示」という。）を、ユーザ操作により入力部１９を介して検出する。なお、重畳回避表示指示は、ユーザ操作に限らず、所定の条件を満たし場合に検出するように構成してもよく、例えば、ユーザが表示を確認するために、装置を傾けたりしたり、ユーザが表示を確認するであろう時刻やアラームの時刻等になったりした場合等を条件として自動的に検出するように構成してもよい。
【００３３】
重畳判定部５３は、表示している時刻から針画像と提供情報とが重畳しているか否かを判定する。
重畳判定部５３は、例えば、初期情報では、図２（ａ）に示すように、提供情報は基準表示領域Ｒ０に表示されているために、当該基準表示領域Ｒ０上に針画像が位置する時刻であるかを判定する。また、重畳判定部５３は、重畳していると判定されて提供情報の表示位置が変更された場合には、当該変更された変更表示領域Ｒ２上に針画像が位置する時刻であるかを判定する。
【００３４】
表示態様決定部５４は、針画像の表示領域に応じて、提供情報の表示態様を決定する。表示態様決定部５４は、例えば、針画像と提供情報とが重畳している場合には、提供情報が見えづらくならないように、針画像の位置を避ける位置（変更表示領域）に提供情報を表示するために針画像の位置に基づいて、提示情報の表示位置を決定する。即ち、図２（ａ）に示すように、表示される時刻から各針画像ＨＨ，ＭＨ，ＳＨの位置を割り出して、針画像ＨＨ，ＭＨ，ＳＨ間の領域Ｒ１を特定して、最も大きい領域を変更表示領域Ｒ２として表示位置を決定する。なお、表示態様決定部５４は、例えば、針画像のない領域を、例えば、針画像の形状・サイズ、時刻に基づく角度計算等に応じて、特定する。
【００３５】
図４は、図３の機能的構成を有する図１の携帯端末１が実行する情報表示処理の流れを説明するフローチャートである。
情報表示処理は、ユーザによる入力部１９への情報表示処理開始の操作により開始される。
【００３６】
ステップＳ１１において、表示制御部５１は、表示する時刻に対応する位置に針画像を表示するように出力部２０を制御する。
【００３７】
ステップＳ１２において、表示制御部５１は、提示情報を基準表示領域に表示するように出力部２０を制御する（図２（ａ）の例を参照）。
【００３８】
ステップＳ１３において、指示検出部５２は、例えば、ユーザによる入力部１９への重畳回避表示指示を検出したか否かを判定する。
重畳回避表示指示を検出していない場合には、ステップＳ１３においてＮＯと判定されて、処理は待機状態となる。
重畳回避表示指示を検出した場合には、ステップＳ１３においてＹＥＳと判定されて、処理はステップＳ１４に進む。
【００３９】
ステップＳ１４において、重畳判定部５３は、時刻に対応する針画像の位置と、提示情報が表示された情報表示領域とが重複しているか否かを判定する。
針画像と提示情報との表示位置が重複している場合には、ステップＳ１４においてＹＥＳと判定されて、処理はステップＳ１６に進む。
針画像と提示情報との表示位置が重複していない場合には、ステップＳ１４においてＮＯと判定されて、処理はステップＳ１５に進む。
【００４０】
ステップＳ１５において、表示制御部５１は、提示情報の表示位置を変更せずに、針画像及び提示情報を表示するように出力部２０を制御する。その後、処理はステップＳ１８に進む。
【００４１】
ステップＳ１６において、表示態様決定部５４は、針画像の位置から変更表示領域を決定する。例えば、表示態様決定部５４は、各針画像ＨＨ，ＭＨ，ＳＭの間の領域Ｒ１のうち、最も広い領域を変更表示領域Ｒ２として決定する（図２（ｂ）を参照）。
【００４２】
ステップＳ１７において、表示制御部５１は、提示情報の表示位置を変更表示領域に変更して表示するように出力部２０を制御する。
【００４３】
ステップＳ１８において、指示検出部５２は、例えば、ユーザによる入力部１９への重畳回避表示指示の終了指示を検出した否かを判定する。
終了指示を検出していない場合には、ステップＳ１８においてＮＯと判定されて、処理はステップＳ１４に戻る。
終了指示を検出した場合には、ステップＳ１８においてＹＥＳと判定されて、情報表示処理は終了する。
【００４４】
＜変形例＞
上述した実施形態では、針の配置状況に応じて、針画像のない領域、即ち、針画像と重複しない位置に提示情報を表示するように構成したが、本例では、提示情報を表示するにあたって針側が予め決められた特定の位置に移動して、提示情報の表示領域を確保するように構成する。
【００４５】
図５は、本実施形態におけるアナログ時計表示の他の例を説明するための模式図である。
本実施形態のアナログ時計表示の情報表示処理の他の例は、図５に示すように、まず、所定の時刻（本実施形態においては、現在時刻）を表示している状態において、提示情報の表示を行うための指示が検出されると、全ての針（時針ＨＨ，分針ＭＨ，秒針ＳＨ）が所定の位置に待避するように回転する。本実施形態においては、待避位置は、３時の位置とする。また、針が待避する動き（回転動作）をアニメーションによって逐次表示する。本実施形態においては、各針の位置に応じて、回転方向が異なるように動くように表示する。なお、全ての針が同一方向に動くように構成してもよいし、動きの順番や速度を変えたりして構成してもよい。また、針が待避している状態においては、時刻が表示されていない状態となるため、別途時刻表示を行うように構成してもよい。この場合、例えば、情報表示領域Ｒ１０に時刻（アナログ／デジタル）を表示したり、空いている領域や針の近傍に時刻（アナログ／デジタル）を表示したりするようにしてもよい。これによりユーザは、針が待避している状態においても、常に時刻を把握することができるようになる。
【００４６】
上述した情報表示処理では、全ての針が同じ場所に待避することによって、提示情報を表示する領域が確保される。また、全ての針が同じ場所に待避することによって、針画像に注意が削がれることがなく、提示情報へユーザが注目出来るようになるため視認性を高めることができる。
【００４７】
針が待避した結果、針画像と重複しない領域のうち、特定の領域（本実施形態においては、情報表示領域Ｒ１０）に提示情報が表示される。
【００４８】
その後、タッチ操作等で、情報表示領域Ｒ１０が指定された場合には、表示されている提示情報に対応した機能の画面を全画面（全画面領域Ｒ１１）での表示がされて、機能に即した動作及び表示が行われる。
【００４９】
図６及び図７は、本実施形態における提示情報と対応する機能の全画面表示の例を示す模式図である。
図６（ａ）の例に示すように、直近のスケジュールを提示情報として表示し、スケジュール機能を全画面表示する。
図６（ｂ）の例に示すように、翻訳機能が発揮可能である旨を提示情報として表示し、翻訳機能を全画面表示する。
図６（ｃ）の例に示すように、ホームタウン登録された都市の都市名と時刻を提示情報として表示し、ホームタウン登録機能を全画面表示する。
図６（ｄ）の例に示すように、現在地の周辺の地図を提示情報として表示し、現在地の周辺の地図表示を含む地図表示機能を全画面表示する。
図７（ａ）の例に示すように、現在の気圧と気圧変化のグラフを提示情報として表示し、気圧計表示機能を全画面表示する。
図７（ｂ）の例に示すように、方位を提示情報として表示し、コンパス表示機能を全画面表示する。
図７（ｃ）の例に示すように、高度と高度変化のグラフを提示情報として表示し、高度表示機能を全画面表示する。
【００５０】
図８は、図３の機能的構成を有する図１の携帯端末１が実行する情報表示処理の他の流れを説明するフローチャートである。
情報表示処理は、ユーザによる入力部１９への情報表示処理開始の操作により開始される。
【００５１】
ステップＳ３１において、表示制御部５１は、表示する時刻に対応する位置に針画像を表示するように出力部２０を制御する（図５を参照）。
【００５２】
ステップＳ３２において、指示検出部５２は、例えば、ユーザによる入力部１９への提示情報表示指示を検出したか否かを判定する。
提示情報表示指示を検出していない場合には、ステップＳ３２においてＮＯと判定されて、処理は待機状態となる。
提示情報表示指示を検出した場合には、ステップＳ３２においてＹＥＳと判定されて、処理はステップＳ３３に進む。
【００５３】
ステップＳ３３において、表示制御部５１は、針画像を待避位置（本実施形態においては、３時の位置）に移動させる動きをアニメーションで表示するように出力部２０を制御する（図５を参照）。
【００５４】
ステップＳ３４において、表示制御部５１は、情報表示領域に提示情報を表示するように出力部２０を制御する（図５を参照）。
【００５５】
ステップＳ３５において、指示検出部５２は、例えば、ユーザによる情報表示領域へのタッチ操作を検出したか否かを判定する。
情報表示領域へのタッチ操作を検出していない場合には、ステップＳ３５においてＮＯと判定されて、処理は待機状態となる。
情報表示領域へのタッチ操作を検出した場合には、ステップＳ３５においてＹＥＳと判定されて、処理はステップＳ３６に進む。
【００５６】
ステップＳ３６において、表示制御部５１は、提示情報に対応する機能を全画面表示するように出力部２０を制御する。その後、操作等によって、例えば、図５に示すように機能の表示と、機能に即した動作及び表示（図６及び図７を参照）が行われる。
【００５７】
ステップＳ３７において、指示検出部５２は、例えば、ユーザによる入力部１９への表示の終了指示を検出した否かを判定する。
表示の終了指示を検出していない場合には、ステップＳ３７においてＮＯと判定されて、処理はステップＳ３６に戻る。
表示の終了指示を検出した場合には、ステップＳ３７においてＹＥＳと判定されて、情報表示処理は終了する。
【００５８】
上述した実施形態では、重畳回避表示指示を検出した後に、重畳と判定された場合に、表示態様を変更する処理を実行するように構成したが、これに限られない。例えば、重畳回避表示指示の検出のみで表示態様を変更する処理を実行するようにしてもよいし、指示に限らず重複を判定した結果で表示態様を変更する処理を実行するようにしてもよい。
また、上述した実施形態では、表示態様の内容についても、針画像の位置から提示情報の表示位置を変更したり、固定の情報表示領域を設けて針画像を所定の位置に退避させるようにしたり、針画像や提示情報の透過度を変更したりするようにすることができ、種々の条件に応じて、表示態様の内容を変更するように構成してもよい。
例えば、ユーザによる予めの設定であったり、針画像の位置であったり、ユーザが時刻か提示情報を確認する操作や仕草や装置の姿勢であったり、スケジュールやメッセージを受信したり、所定の位置に移動した場合であったり等の条件で表示態様の内容を変えるように構成してもよい。
【００５９】
以上のように構成される携帯端末１は、出力部２０を有する電子機器である。
携帯端末１は、表示制御部５１と、重畳判定部５３と、を備える。
表示制御部５１は、針画像を取得する。また、表示制御部５１は、所定の情報である提示情報を取得する。また、表示制御部５１は、針画像を現在時刻に応じた位置に表示させると共に、当該針画像の表示位置の近傍において、所定の情報である提示情報を表示させるように出力部２０を制御する。
重畳判定部５３は、表示制御部５１によって針画像と所定の情報である提示情報と針画像とが重畳して表示されているか否かを判定する。
表示制御部５１は、重畳判定部５３によって針画像と所定の情報である提示情報とが重畳して表示されていると判定された場合に、当該針画像と当該所定の情報である提示情報の表示領域が重複しないように表示態様を変更する。
これにより、携帯端末１においては、アナログ時計表示のデザイン性を保ちつつ、ユーザが容易に針画像によって表現される時刻情報とは異なる情報を読取り可能な表示制御を行うことができる。
【００６０】
表示制御部５１は、表示態様として、針画像に重畳しないように所定の情報である提示情報の表示位置又は表示サイズを変更する。
これにより、携帯端末１においては、アナログ時計表示のデザイン性を保ちつつ、ユーザが容易に針画像によって表現される時刻情報とは異なる情報を読取り可能な表示制御を行うことができる。
【００６１】
表示制御部５１は、針画像と所定の情報である提示情報とが重畳して表示されていると判定された場合に、当該針画像と当該所定の情報である提示情報とが重畳して表示されないように表示態様を変更する。
これにより、携帯端末１においては、アナログ時計表示のデザイン性を保ちつつ、ユーザが容易に針画像によって表現される時刻情報とは異なる情報を読取り可能な表示制御を行うことができる。
【００６２】
表示態様決定部５４は、所定の情報である提示情報の表示領域として当該所定の情報である提示情報の表示位置及び表示サイズを算出する。
表示態様決定部５４は、針画像と所定の情報とが重畳して表示されていると判定された場合に、算出される表示領域に基づいて針画像を移動させるように表示位置を変更する。
これにより、携帯端末１においては、提示情報の表示位置や表示サイズに応じて針画像を移動させることができる。
【００６３】
表示制御部５１は、針画像を所定の待避位置に移動させるように表示位置を変更させた場合、所定の情報の表示領域に針画像を用いずに時刻情報を表示させる。
これにより、携帯端末１においては、針画像が待避してアナログ表示が行われなくなった場合でも、ユーザは時刻を確認することができる。
【００６４】
表示制御部５１は、出力部２０に表示される針画像の表示位置及び表示サイズに応じて、所定の情報である提示情報の表示形態を変更する。
これにより、携帯端末１においては、アナログ時計表示のデザイン性を保ちつつ、ユーザが容易に針画像によって表現される時刻情報とは異なる情報を読取り可能な表示制御を行うことができる。
【００６５】
表示制御部５１は、表示態様の変更前から変更後に至る動きをアニメーションによって表示させる。
これにより、携帯端末１においては、表示態様の変更をユーザに違和感を与えることなく行うことができる。
【００６６】
表示制御部５１は、針画像の表示態様のうち、表示位置を変更する場合には、針画像の時刻表示における動きに対応した動きで、表示態様の変更前から変更後に至る動きをアニメーションによって表示する。
これにより、携帯端末１においては、針画像の表示位置の変更について、通常の時刻表示の動きと同様の動きで行うことができ、ユーザに違和感を与えることなく表示態様の変更を行うことができる。
【００６７】
なお、本発明は、上述の実施形態に限定されるものではなく、本発明の目的を達成できる範囲での変形、改良等は本発明に含まれるものである。
【００６８】
上述の実施形態では、表示態様として、提示情報の位置を変更するように構成したが、例えば、提示情報の位置、サイズ（例えば、小さいサイズに変更）、形状又は透過度、表示レイヤー（前景、後景）等を変更するように構成してもよい。なお、透過度を変更した場合、針画像の透過度を高くして、提示情報よりも薄い状態になるようにしたり、提示情報の透過度を低くして針画像よりも逆に濃くしたりするように構成することができる。また、色彩や色の濃淡を変えて表現してもよい。また、透過度等を変える場合は、針画像又は提示情報の一方が消える状態も含む。
【００６９】
また、上述の実施形態では、提示情報側の表示態様を変更するように構成したが、針画像側の表示態様を変更するように構成してもよい。例えば、針画像の位置、サイズ（例えば、小さいサイズに変更）、形状又は透過度等を変更するように構成してもよい。また、針画像は、固定的に所定の待避位置（例えば、３時の位置等）を設けて移動させるように構成してもよい。
【００７０】
また、上述の実施形態では、針画像や提示情報の変更表示領域への移動の描写は、例えば、連続的に移動させたり、位置を離散的に移動させたりすることができる。また、例えば、遠い場合は早く・近いとゆっくり等の針画像の距離や移動量に応じた動きで移動の速度を制御するように構成してもよい。なお、バッテリ残量を考慮して、移動の描写を変更するように制御してもよい。
例えば、針画像又は提示情報の表示態様を変更する際に、現在の表示状態から最終の表示状態に連続的に変化するように変更するように構成することができる。
【００７１】
また、上述の実施形態では、重複回避指示をユーザによる操作をトリガとして行うように構成したが自動で行うように構成してもよい。自動で行う場合には、タッチ操作・行動判定・手首の動き（チルト変化）・時刻（スケジュール）・位置（特定の場所に来たか否か）等を、ＧＰＳ部１６、センサ部１７でのセンサ情報や予め設定されたスケジュール情報等を用いて、所定の状態を検出したことをトリガとしてもよい。なお、バッテリ残量を考慮して、トリガを変更するように制御してもよい。
【００７２】
また、上述の実施形態では、現在時刻を表示するように構成したが、例えば、特定の時刻、ユーザが設定した架空の時刻、現在時刻に対して所定時間（前倒し・後ろ倒し）ずれた時刻等を表示するように構成してもよい。
【００７３】
また、上述の実施形態では、本発明が適用される携帯端末１は、スマートウォッチを例として説明したが、特にこれに限定されない。
例えば、本発明は、情報表示処理機能を有する電子機器一般に適用することができる。具体的には、例えば、本発明は、ノート型のパーソナルコンピュータ、プリンタ、テレビジョン受像機、ビデオカメラ、デジタルカメラ、携帯型ナビゲーション装置、携帯電話機、スマートフォン、ポータブルゲーム機等に適用可能である。
【００７４】
上述した一連の処理は、ハードウェアにより実行させることもできるし、ソフトウェアにより実行させることもできる。
換言すると、図３の機能的構成は例示に過ぎず、特に限定されない。即ち、上述した一連の処理を全体として実行できる機能が携帯端末１に備えられていれば足り、この機能を実現するためにどのような機能ブロックを用いるのかは特に図３の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００７５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７６】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２１に含まれるハードディスク等で構成される。
【００７７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００７８】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７９】
以下に、本願の出願当初の特許請求の範囲に記載された発明を付記する。
［付記１］
表示部を有する時計において、
針画像を取得する針画像取得手段と、
所定の情報を取得する情報取得手段と、
前記針画像取得手段によって取得された前記針画像を、現在時刻に応じた位置に表示させると共に、当該針画像の表示位置の近傍において、前記情報取得手段によって取得された前記所定の情報を表示させるように前記表示部を制御する表示制御手段と、
前記表示制御手段によって前記所定の情報の表示領域と前記針画像とが重畳して表示される場合に、当該針画像又は当該所定の情報の表示領域が重畳しないよう表示態様を変更する表示変更手段と、
を備えることを特徴とする時計。
［付記２］
前記表示変更手段は、前記表示態様として、前記針画像若しくは前記所定の情報の表示位置、表示サイズ、形状又は透過度を変更する、
ことを特徴とする付記１に記載の時計。
［付記３］
前記表示制御手段によって前記所定の情報の表示領域と、前記針画像とが重畳して表示されるか否かを判定する判定手段を更に備え、
前記表示変更手段は、前記判定手段によって前記所定の情報の表示領域と前記針画像とが重畳して表示されると判定された場合に、当該針画像又は当該所定の情報の表示領域が重畳しないよう表示態様を変更する、
ことを特徴とする付記１又は２に記載の時計。
［付記４］
前記表示変更手段は、前記判定手段によって前記所定の情報の表示領域と前記針画像とが重畳して表示されていると判定された場合に、当該針画像と当該所定の情報とが重畳して表示されないように表示態様を変更する、
ことを特徴とする付記３に記載の時計。
［付記５］
前記表示変更手段は、前記表示態様として、前記所定の情報の表示領域に重畳しないように前記針画像の表示位置又は表示サイズを変更する、
ことを特徴とする付記１乃至４のいずれか１つに記載の時計。
［付記６］
前記表示変更手段は、前記針画像を所定の待避位置に移動させるように表示位置を変更する、
ことを特徴とする付記１乃至５のいずれか１つに記載の時計。
［付記７］
前記表示変更手段は、前記針画像を所定の待避位置に移動させるように表示位置を変更させた場合、前記所定の情報の表示領域に前記針画像を用いずに時刻情報を表示させる、
ことを特徴とする付記６に記載の時計。
［付記８］
前記表示変更手段は、前記所定の情報の表示領域として当該所定の情報の表示位置及び表示サイズを算出する算出手段を備え、
前記表示変更手段は、前記針画像を所定の待避位置に移動させるように表示位置を変更させた場合、前記算出手段により算出される前記表示領域に基づいて前記針画像を移動させるように表示位置を変更する、
ことを特徴とする付記１乃至７のいずれか１つに記載の時計。
［付記９］
前記表示変更手段は、前記表示態様として、前記針画像に重畳しないように前記所定の情報の表示位置又は表示サイズを変更する、
ことを特徴とする付記１乃至８のいずれか１つに記載の時計。
［付記１０］
前記表示変更手段によって前記針画像を所定の待避位置に移動させるように表示位置を変更させた場合、当該針画像又は当該所定の情報の表示態様を変更する、
ことを特徴とする付記１乃至９のいずれか１つに記載の時計。
［付記１１］
前記表示変更手段は、前記表示部に表示される前記針画像の表示位置及び表示サイズに応じて、前記所定の情報の表示態様を変更する、
ことを特徴とする付記１乃至１０のいずれか１つに記載の時計。
［付記１２］
前記表示変更手段は、前記針画像又は前記所定の情報の表示態様を変更する際に、現在の表示状態から最終の表示状態に連続的に変化するように変更する、
ことを特徴とする付記１乃至１１のいずれか１つに記載の時計。
［付記１３］
表示変更の指示を検出する検出手段を備え、
前記表示変更手段は、前記検出手段によって前記表示変更の指示が検出された場合に、前記表示部の表示変更を行う、
ことを特徴とする付記１乃至１２のいずれか１つに記載の時計。
［付記１４］
前記表示制御手段は、表示態様の変更前から変更後に至る動きをアニメーションによって表示するように前記表示部を制御する、
ことを特徴とする付記１乃至１３のいずれか１つに記載の時計。
［付記１５］
前記表示制御手段は、針画像の表示態様のうち、表示位置を変更する場合には、針画像の時刻表示における動きに対応した動きで、表示態様の変更前から変更後に至る動きをアニメーションによって表示するように前記表示部を制御する、
ことを特徴とする付記１４に記載の時計。
［付記１６］
表示部を有する時計で実行される時計表示制御方法において、
針画像を取得する針画像取得ステップと、
所定の情報を取得する情報取得ステップと、
前記針画像取得ステップによって取得された前記針画像を、現在時刻に応じた位置に表示させると共に、当該針画像の表示位置の近傍において、前記情報取得ステップによって取得された前記所定の情報を表示させるように前記表示部を制御する表示制御ステップと、
前記表示制御ステップによって前記所定の情報の表示領域と前記針画像とが重畳して表示される場合に、当該針画像又は当該所定の情報の表示領域が重畳しないよう表示態様を変更する表示変更ステップと、
を含むことを特徴とする表示制御方法。
［付記１７］
表示部を有する時計を制御するコンピュータを、
針画像を取得する針画像取得手段、
所定の情報を取得する情報取得手段、
前記針画像取得手段によって取得された前記針画像を、現在時刻に応じた位置に表示させると共に、当該針画像の表示位置の近傍において、前記情報取得手段によって取得された前記所定の情報を表示させるように前記表示部を制御する表示制御手段、
前記表示制御手段によって前記所定の情報の表示領域と前記針画像とが重畳して表示される場合に、当該針画像又は当該所定の情報の表示領域が重畳しないよう表示態様を変更する表示変更手段、
として機能させることを特徴とするプログラム。
【符号の説明】
【００８０】
１・・・携帯端末，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部２０・・・記憶部２１・・・通信部２２・・・ドライブ，３１・・・リムーバブルメディア，５１・・・表示制御部，５２・・・指示検出部，５３・・・重畳判定部，５４・・・表示態様決定部，７１・・・時刻表示用画像記憶部，７２・・・提供情報記憶部
【図１】
2018109546.tif 000003
【図２】
2018109546.tif 000004
【図３】
2018109546.tif 000005
【図４】
2018109546.tif 000006
【図５】
2018109546.tif 000007
【図６】
2018109546.tif 000008
【図７】
2018109546.tif 000009
【図８】
2018109546.tif 000010